(57)【特許請求の範囲】
【請求項１】
顧客に郵送するカードと前記カードの郵送に用いるカード送付台紙をマッチングする方法であって，前記カード毎に固有なカード固有情報から算出したハッシュ値を含む台紙固有情報をエンコードした光学式マークを前記カード送付台紙に印字し，前記カードと前記カード送付台紙をマッチングする装置が，マッチングに用いる前記カードから前記カード固有情報を読み取り，前記カードから読み出した前記カード固有情報のハッシュ値を算出するステップ，マッチングに用いる前記カード送付台紙に印字された前記光学式マークから前記台紙固有情報を読み取るステップ，前記カードから読み取った前記カード固有情報から算出したハッシュ値と前記カード送付台紙に印字された光学式マークから読み取った前記台紙固有情報に含まれるハッシュ値を照合するステップ，ハッシュ値の照合に成功すると，前記カードを前記カード送付台紙に添付するステップを順に実行する，
ことを特徴とするカードとカード送付台紙のマッチング方法。
【請求項２】
顧客に郵送するカードから前記カード毎に固有なカード固有情報を読み取るためのカードリーダ部と，前記カードの郵送に用いるカード送付台紙に印字された光学式マークから，前記カード固有情報から算出したハッシュ値を含む台紙固有情報を読み取るための光学式マークリーダ部と，前記カードを前記カード送付台紙に添付するカード添付部と，これらを制御する制御部を備え，
前記制御部は，前記カードを前記カード送付台紙に添付する際，前記カードリーダ部を作動させて，マッチングに用いる前記カードから前記カード固有情報を読み取り，前記カードから読み出した前記カード固有情報のハッシュ値を算出するステップ，前記光学式マークリーダ部を作動させて，マッチングに用いる前記カード送付台紙に印字された前記光学式マークから前記台紙固有情報を読み取るステップ，前記カードから読み出した前記カード固有情報から算出したハッシュ値と，前記カード送付台紙に印字された前記光学式マークから読み取った前記台紙固有情報に含まれるハッシュ値を照合するステップ，ハッシュ値の照合に成功すると，前記カード添付部を作動させて，前記カードを前記カード送付台紙に添付するステップを順に実行する，
ことを特徴とするカード添付装置。
【発明の詳細な説明】
【技術分野】
【０００１】
本発明は，顧客に郵送するカードとカード送付台紙のマッチングに係る発明である。
【背景技術】
【０００２】
磁気カード，接触型ＩＣカードまたは非接触ＩＣカード等のカードを製造して郵送する業務では、カードの送り先となる顧客の宛先を印字したカード送付台紙を製造する工程と，顧客毎に固有な情報をエンコードしたカードを製造する工程と，カードとカード送付台紙のマッチング（照合）を行ってから，カードをカード送付台紙に添付する工程と，カードをインサートしたカード送付台紙を三つ折り加工するなどして封筒に封入し，カード送付台紙を封入した封筒を封緘する工程と，封入封緘した封筒を郵便局等に局出しする工程が実施される。
【０００３】
カードとカード送付台紙のマッチングを行ってから，カードをカード送付台紙に添付するのは、カードの送り先となる顧客に対して他の顧客のカードが郵送されるのを防止するためである。カードとカード送付台紙をマッチングする際，例えば，特許文献１に記載があるように，カード（特許文献１では，ＩＣカード）に記憶されているカード固有情報と，カード送付台紙にバーコードの形態で印字されている台紙固有情報をそれぞれ読み出し，カード固有情報と台紙固有情報を照合し，この照合に成功した時のみ、カード送付台紙にカードを添付する。
【先行技術文献】
【特許文献】
【０００４】
【特許文献１】特開２０００−６７１７８号公報
【発明の概要】
【発明が解決しようとする課題】
【０００５】
しかしながら，カードとカード送付台紙のマッチングに係る従来の技術は，カード送付台紙毎に固有な台紙固有情報を何ら加工することなく光学式マーク（例えば，１次元バーコード）にエンコードするため，この光学式マークをカード送付台紙の宛先の近傍に印字し，窓付き封筒の窓から光学式マークが見えるようにカード送付台紙を封筒に封入すると，窓付き封筒の窓から見える光学式マークから台紙固有情報が不正に読み取られてしまう恐れがある。
【０００６】
この台紙固有情報には，カード毎に固有なカード固有情報を用いることが多いため，窓付き封筒の窓から見える光学式マークから台紙固有情報が不正に読み取られてしまうと，台紙固有情報からカード固有情報の全てまたは一部が漏洩してしまう。特に、クレジットカード（キャッシュカード）においては、クレジット番号（キャッシュカードの場合は口座番号）の全てまたは一部を台紙固有情報に用いることがあるため、窓付き封筒の窓から見える光学式マークからこれらの情報が流出する恐れがある。
【０００７】
このことを防止するため，カード発行者と請負会社外の第三者に台紙固有情報の内容が知られないように，台紙固有情報をスクランブルしてから光学式マークにエンコードすることが行われている。しかし，カード発行者と請負会社外の第三者に台紙固有情報の内容を知られないように台紙固有情報をスクランブルしている都合上，台紙固有情報をスクランブルする内容を示すスクランブル要件をカード発行者毎に取り決めることが必要になり，台紙固有情報をスクランブルするときには，カードをカード送付台紙に添付するカード添付装置にスクランブル要件を登録しなければならず，請負会社側でこの作業が負荷になっている。
【０００８】
そこで，本発明は，カードとカード送付台紙のマッチングに係るカード発行者毎の特別な取り決め（例えば，上述のスクランブル要件）を必要とせずに，カード送付台紙に印字した光学式マークにエンコードした台紙固有情報から，カード送付台紙に添付するカードに記憶されたカード固有情報が漏洩しないようにすることを目的とする。
【課題を解決するための手段】
【０００９】
上述した課題を解決する第１の発明は，顧客に郵送するカードと前記カードの郵送に用いるカード送付台紙をマッチングする方法であって，前記カード毎に固有なカード固有情報から算出したハッシュ値を含む台紙固有情報をエンコードした光学式マークを前記カード送付台紙に印字し，前記カードと前記カード送付台紙をマッチングする装置が，マッチングに用いる前記カードから前記カード固有情報を読み取り，前記カードから読み出した前記カード固有情報のハッシュ値を算出するステップ，マッチングに用いる前記カード送付台紙に印字された前記光学式マークから前記台紙固有情報を読み取るステップ，前記カードから読み取った前記カード固有情報から算出したハッシュ値と前記カード送付台紙に印字された光学式マークから読み取った前記台紙固有情報に含まれるハッシュ値を照合するステップ，ハッシュ値の照合に成功すると，前記カードを前記カード送付台紙に添付するステップを順に実行することを特徴とする。
【００１０】
また，第２の発明は，顧客に郵送するカードから前記カード毎に固有なカード固有情報を読み取るためのカードリーダ部と，前記カードの郵送に用いるカード送付台紙に印字された光学式マークから，前記カード固有情報から算出したハッシュ値を含む台紙固有情報を読み取るための光学式マークリーダ部と，前記カードを前記カード送付台紙に添付するカード添付部と，これらを制御する制御部を備え，前記制御部は，前記カードを前記カード送付台紙に添付する際，前記カードリーダ部を作動させて，マッチングに用いる前記カードから前記カード固有情報を読み取り，前記カードから読み出した前記カード固有情報のハッシュ値を算出するステップ，前記光学式マークリーダ部を作動させて，マッチングに用いる前記カード送付台紙に印字された前記光学式マークから前記台紙固有情報を読み取るステップ，前記カードから読み出した前記カード固有情報から算出したハッシュ値と，前記カード送付台紙に印字された前記光学式マークから読み取った前記台紙固有情報に含まれるハッシュ値を照合するステップ，ハッシュ値の照合に成功すると，前記カード添付部を作動させて，前記カードを前記カード送付台紙に添付するステップを順に実行することを特徴とするカード添付装置である。
【発明の効果】
【００１１】
上述した発明によれば，顧客に郵送するカードとカードの郵送に用いるカード送付台紙のマッチングには，カードに記憶されるカード固有情報から算出したハッシュ値が用いられることになる。ハッシュ値の元になったデータをハッシュ値から導くことは不可能であるため，光学式マークにエンコードされた台紙固有情報が不正に読み出されても，カードに記憶されるカード固有情報の全てまたは一部が漏洩することはなくなる。また，カードに記憶されるカード固有情報から算出したハッシュ値はカード固有情報を単に要約した値に過ぎず，カード発行者と請負会社外の第三者に台紙固有情報の内容を知られないようにするための情報ではないため，カードとカード送付台紙のマッチングに係るカード発行者毎の特別な取り決めは必要なくなる。
【図面の簡単な説明】
【００１２】
【図１】カードメーリングシステムを説明する図。
【図２】カード送付台紙を説明する図。
【図３】カードを説明する図。
【図４】カード添付装置のブロック図。
【図５】カード添付装置の動作を説明する図。
【発明を実施するための形態】
【００１３】
ここから，本発明の好適な実施形態を記載する。なお，以下の記載は本発明の範囲を束縛するものでなく，理解を助けるために記述するものである。
【００１４】
図１は，本実施形態に係るカード添付装置１を有するカードメーリングシステム１ａを説明する図である。図１で図示したカードメーリングシステム１ａは，本発明に係る方法を実行するカード添付装置１に加え，カード２を添付するカード送付台紙３を供給する台紙供給部１ｂ，カード送付台紙３に添付するカード２を供給するカード供給部１ｃ，カード供給部１ｃから供給されたカード２を搬送するカード搬送部１ｄ，カード２をインサートした後のカード送付台紙３を折り加工（例えば，Ｚ折り）する折り加工部１ｅ，折り加工後のカード送付台紙３を窓付き封筒４に封入する封入部１ｆ，カード送付台紙３を封入した窓付き封筒４を封緘する封緘部１ｇ，封緘した窓付き封筒４を刺し身状の形態で排出する排出部１ｈを備えている。
【００１５】
図２は，本実施形態に係るカード送付台紙３を説明する図である。本実施形態に係るカード送付台紙３は三つ折り加工用の台紙で，２つのミシン目３ｄにより，第１紙片３ａ，第２紙片３ｂおよび第３紙片３ｃの３つの紙片に分割される。
【００１６】
カード送付台紙３の第１紙片３ａは，三つ折り加工したカード送付台紙３を封入封緘した窓付き封筒４の宛から見える紙片で，この第１紙片３ａに，窓付き封筒４の宛先情報３ｆ（住所，氏名，郵便用のバーコード）に加え，カード添付装置１によって読み取られる台紙固有情報をエンコードした光学式マーク３０（ここでは，２次元バーコード）を印字している。また，カード送付台紙３の第２紙片３ｂはカード２を添付する紙片で，図２では，カード２を添付する領域３ｅが第２紙片３ｂに設けられている。また，カード送付台紙３の第３紙片３ｃは，カード２の説明３ｇが印字される紙片である。
【００１７】
カード２を添付するカード送付台紙３に印字する光学式マーク３０にエンコードする台紙固有情報には，一枚のカード送付台紙３に添付するカード２毎に，カード２に記憶されたカード固有情報から所定のアルゴリズムに基づき算出したハッシュ値が含まれ，本実施形態において，台紙固有情報は以下の構造になっている。
台紙固有情報の構造＝［カード添付枚数］［区切り値］［１枚目のカードに対応するハッシュ値］［区切り値］［２枚目のカードに対応するハッシュ値］［区切り値］・・・［最後のカードに対応するハッシュ値］［終わり値］
【００１８】
図３は，本実施形態に係るカード２を説明する図である。図３では，カード送付台紙３に添付するカード２を，アンテナ２ｂが接続したＩＣチップ２ａを内蔵した非接触型ＩＣカードとして図示し，カード２毎に固有なカード固有情報は，非接触型ＩＣカードに実装されたＩＣチップ２ａのＮＶＭ（Nonvolatile Memory）に記憶される。なお，カード送付台紙３に添付するカード２が磁気カードの場合は，カード２毎に固有なカード固有情報は磁気ストライプにエンコードされることになる。
【００１９】
ここから，カードメーリングシステム１ａのカード添付装置１について詳細に説明する。図４は，カード添付装置１のブロック図で，図５は，カード添付装置１の動作を説明する図である。
【００２０】
図４に図示したように，カード添付装置１は，本発明を実現するために必要な機能として，カードリーダ部１０，光学式マークリーダ部１１，カード添付部１２および制御部１３を備える。
【００２１】
カード添付装置１のカードリーダ部１０は，カード送付台紙３に添付するカード２からカード固有情報を読み取るために設けられる機能で，本実施形態において，カード添付装置１のカードリーダ部１０は，カードメーリングシステム１ａのカード搬送部１ｄ上に設けられている。具体的に，カード添付装置１のカードリーダ部１０は，カード送付台紙３に添付するカード２に対応するリーダになる。例えば，カード２が非接触型ＩＣカードの場合，カード添付装置１のカードリーダ部１０は非接触型ＩＣカードリーダになるし，カード２が磁気カードの場合，カード添付装置１のカードリーダ部１０は磁気リーダになる。
【００２２】
カード添付装置１の光学式マークリーダ部１１は，カード２を添付するカード送付台紙３に印字されている光学式マーク３０から台紙固有情報を光学的に読み取るために設けられる機能で，本実施形態において，カード添付装置１の光学式マークリーダ部１１は，カード２をカード送付台紙３に添付するカード添付部１２内に設けられている。カード添付装置１の光学式マークリーダ部１１は，カード送付台紙３に印字された光学式マーク３０を撮影するカメラと，カメラが撮影した画像に含まれる光学式マーク３０をデコードする装置で実現するのが一般的である。
【００２３】
カード添付装置１のカード添付部１２は，カード２をカード送付台紙３に添付するために設けられる機能である。カード２をカード送付台紙３に添付する方法としては，カード２の裏面またはカード送付台紙３に再剥離可能なテープを貼り付け，このテープを利用してカード２をカード送付台紙３に添付する手法が一般的であるが，カード送付台紙３に添付するカード２を湾曲させ，カード送付台紙３に形成された４つ切り込みにカード２の隅を挿入させることで，カード２をカード送付台紙３に添付する手法もある。
【００２４】
カード添付装置１の制御部１３は，カード添付装置１全体を制御するために設けられる機能で，パーソナルコンピュータを利用して実現される。
【００２５】
図５を参照しながら，本発明に係る方法についての説明も兼ねて，カード添付装置１の制御部１３の動作について説明する。カード添付装置１の制御部１３は，カード２をカード送付台紙３に貼り付ける際，カードメーリングシステム１ａの台紙供給部１ｂを作動させ，カード２を貼り付けるカード送付台紙３をカード添付部１２に搬送してから，光学式マークリーダ部１１を作動させて，このカード送付台紙３に印字された光学式マーク３０から台紙固有情報を読み取る（Ｓ１）。
【００２６】
次に，カード添付装置１の制御部１３は，少なくともカードメーリングシステム１ａのカード搬送部１ｄを作動させ，カード送付台紙３に添付するカード２をカードリーダ部１０の真下に移動させてから，カードリーダ部１０を作動させてこのカード２からカード固有情報を読み取る（Ｓ２）。
【００２７】
次に，カード添付装置１の制御部１３は，カードメーリングシステム１ａのカード搬送部１ｄを作動させ，カード固有情報を読み取ったカード２をカード添付部１２まで搬送した後，カード送付台紙３の光学式マーク３０にエンコードする台紙固有情報を算出したときと同じアルゴリズムで，カード２から読み出したカード固有情報に対応するハッシュ値を演算する（Ｓ３）。
【００２８】
次に，カード添付装置１の制御部１３は，台紙固有情報に含まれるハッシュ値の中からカード２の搬送順に対応するハッシュ値を特定し，カード２から算出したハッシュ値と照合し（Ｓ４），台紙固有情報を読み取ったカード送付台紙３に係る処理が終了するまで，ハッシュ値の照合結果を保持する。例えば，最初に搬送されるカード２の場合，このカード２のカード固有情報から算出したハッシュ値は，台紙固有情報に含まれる［１枚目のカードに対応するハッシュ値］と照合される。また，２番目に搬送されるカード２の場合，このカード２のカード固有情報から算出したハッシュ値は，台紙固有情報に含まれる［２枚目のカードに対応するハッシュ値］と照合される。
【００２９】
次に，カード添付装置１の制御部１３は，Ｓ２からＳ４の手順を実行した回数が，カード送付台紙３から読み取った台紙固有情報に含まれるカード添付枚数に達したか確認し（Ｓ５），Ｓ２からＳ４の手順を実行した回数が，カード送付台紙３から読み取った台紙固有情報に含まれるカード添付枚数に達していない場合，カード添付装置１の制御部１３は，Ｓ２に戻り，次のカード２に対して，Ｓ２からＳ４の手順を実行する。
【００３０】
また，カード添付装置１の制御部１３は，Ｓ２からＳ４の手順を実行した回数が，カード送付台紙３から読み取った台紙固有情報に含まれるカード添付枚数に達している場合，ハッシュ値の照合結果が全て成功であるか確認し（Ｓ６），ハッシュ値の照合結果が全て成功の場合、カード添付部１２を作動させて，カード２をカード送付台紙３に添付して（Ｓ７），この手順を終了する。また，カード添付装置１の制御部１３は，ハッシュ値の照合結果が全て成功でない場合、カード添付部１２に搬送したカード２とカード送付台紙３を不良品として排出して（Ｓ８），この手順を終了する。
【００３１】
このように，本実施形態では，顧客に郵送するカード２とカード２の郵送に用いるカード送付台紙３のマッチングには，カード２に記憶されるカード固有情報から演算したハッシュ値が用いられることになる。光学式マーク３０にエンコードされた台紙固有情報にはカード固有情報のハッシュ値しか含まれないため，光学式マーク３０にエンコードされた台紙固有情報が不正に読み出されても，カード２に記憶されたカード固有情報の全てまたは一部が漏洩することはなくなる。また，カード２に記憶されるカード固有情報から算出したハッシュ値はカード固有情報を単に要約した値に過ぎず，カード発行者と請負会社外の第三者に台紙固有情報の内容を知られないようにするための情報ではないため，カードとカード送付台紙のマッチングに係るカード発行者毎の特別な取り決めは必要なくなる。
【符号の説明】
【００３２】
１    カード添付装置
１０  カードリーダ部
１１  光学式マークリーダ部
１２  カード添付部
１３  制御部
１ａ  カードメーリングシステム
２    カード
３    カード送付台紙
３０  光学式マーク
【図１】
0006341008.tif 000002
【図２】
0006341008.tif 000003
【図３】
0006341008.tif 000004
【図４】
0006341008.tif 000005
【図５】
0006341008.tif 000006